(57)【要約】【課題】従来の浮き輪は日除けが付いていたものの、その日除け可能な面積は少なく、太陽の位置によっては、効果が期待できない。日除け部分を大きくすれば浮き輪とのバランスが悪くなり、支点で支えきれなくなることや、希望するところで止まらないことなどが心配される。【解決手段】空気袋からなる屋根を設け、面ファスナーを有する着脱部５と接続部６を利用し開閉することにより、より多くの日陰を作り紫外線を防ぎながらも乗降を容易にし、なおかつ転覆しても顔が水につかりにくくした。【選択図】図１
2006256431.tif 000002
【特許請求の範囲】
【請求項１】
浮き輪部分に屋根を取り付け、浮き輪部分に付けた面ファスナーと、屋根部分に付けた面ファスナーの着脱によって屋根部分が開閉することを特徴とする屋根付き浮き輪。
【請求項２】
屋根部分が浮き輪部分と同じ素材か、それに類するものからなる空気袋であることを特徴とする請求項１に記載の屋根付き浮き輪。
【発明の詳細な説明】
【技術分野】
【０００１】
本考案は、より多くの日差しを防ぎながら乳幼児の乗降を容易にし、転倒しても乳幼児が水に埋没しにくくした屋根付き浮き輪に関するものである。
【背景技術】
【０００２】
従来乳幼児用浮き輪は、浮き輪の一部を覆うサンシェードを備え、サンシェードは空気袋若しくは浮遊性部材からなり、アーチ若しくは断面門型に成形され、側面に小窓が設けられていた。（特許文献１参照）浮き輪中央低位置にシートが張られ、足が入る穴が空いており、単独で浮いている事ができた。
【特許文献１】実用新案登録第３０５０８１０号
【発明の開示】
【発明が解決しようとする課題】
【０００３】
上述した浮き輪にはサンシェードが付いているが開放部分が多い為、その日除け可能な面積は少なく、太陽の位置によっては効果が期待できない。炎天下で使用されることが多く、肌の弱い乳児や、帽子を嫌う幼児には日焼けによる火傷や、日射病が心配される。又転倒した時すぐに乳幼児が水に埋没してしまう事も心配される。
【課題を解決するための手段】
【０００４】
本考案の請求項１に記載の屋根付き浮き輪は、浮き輪部分に屋根を取り付け、浮き輪部分に付けた面ファスナーと、屋根部分に付けた面ファスナーの着脱によって屋根部分が開閉することを特徴とする。
【０００５】
本考案の請求項２に記載の屋根付き浮き輪は、屋根部分が浮き輪部分と同じ素材か、それに類するものからなる空気袋であることを特徴とする。
【発明の効果】
【０００６】
本考案の請求項１に記載の屋根付き浮き輪は、空気袋からなる屋根を乳幼児に覆い被さるように設置できるため、より多くの強い日差しを防ぐ。面ファスナーの着脱で屋根が開閉できる為、開放部分が少なくても乗降が容易である。又、転倒しても面ファスナーをはずし、すぐに救出することができる。
【０００７】
本考案の請求項２に記載の屋根付き浮き輪は、転倒しても乳幼児は空気袋に覆われているため水に埋没してしまう事がない。又、怪我もしにくい。
【発明を実施するための最良の形態】
【０００８】
図1に本考案の実施形態を例示する。図で１が浮き輪部分、２が屋根部分である。浮き輪部分１と屋根部分２は塩化ビニールなどの合成樹脂製の空気袋で形成する。浮き輪部分１の前方上部二箇所に面ファスナーを付け、浮き輪部分用面ファスナー３とし、屋根部分２の前方下部二箇所に面ファスナーを付け、屋根部分用面ファスナー４とし、浮き輪部分用面ファスナー３と屋根部分用面ファスナー４を合わせて相互に着脱自在に取り付けることによって、屋根部分２を閉める部分を着脱部５とし、面ファスナーの着脱によって屋根部分２を開閉できるようにする。浮き輪部分１と屋根部分２の接続部６は浮き輪と同素材かそれに類するもので接続し、浮き輪のみで使用できるように浮き輪部分１と屋根部分２との空気を遮断する。又、着脱部５と同様に面ファスナーで接続しても良い。この場合、浮き輪部分１と屋根部分２とは別付けとなり、面ファスナーで、着脱自在に取り付けられる。
【０００９】
乳幼児が乗り込む浮き輪中央７は、体が安定するようやや下垂させシートをはり二箇所の足入れ８を設ける。空気口９は浮き輪部分と屋根部分のそれぞれ一箇所に設け、浮き輪単独でも利用できるようにした。浮き輪単独で利用する時は、屋根部分２に空気を入れず巻いて、浮き輪後方に取り付けた第１ロープ１０でとめ、浮き輪中央７の後方に置く。前後左右に窓１１を設け、必要以上に風の抵抗を受けないようにした。閉鎖的な状態を乳幼児が受け入れられるよう、ハンドル１２をつけ車をイメージさせるようにした。ハンドルは無くても良いし、全体に車種に応じたプリントや、サイレンなどの付属品を付けても良い。持ち易くするため第２ロープ１３を付ける。
【００１０】
図２は開閉の状態を例示する。接続部４を中心に乳幼児にかぶるよう図２から図３へ動かし、浮き輪部分用面ファスナー３と屋根部分用面ファスナー４を着脱部５で接着させ、屋根部分２を閉める。これによって、乳幼児に覆い被さるように空気袋の屋根がついて、より多くの強い日差しを防ぐ。又転倒しても乳幼児は空気袋に覆われているため水に埋没してしまう事がなく、着脱部５で接着している面ファスナーをはずし、すぐに救出することができる。
【００１１】
図４は浮き輪単独で使用した時の全体図である。浮き輪単独で使用する時は、屋根部分２に空気を入れず巻いて、浮き輪後方に取り付けた第１ロープ１０でとめ、浮き輪中央７の後方に置く。
【図面の簡単な説明】
【００１２】
【図１】本考案の実施形態を示した全体図である。
【図２】開閉形態を示した説明図である。
【図３】開閉形態を示した説明図である。
【図４】浮き輪単独で使用した時の全体図である。
【符号の説明】
【００１３】
１    浮き輪部分
２    屋根部分
３    浮き輪部分用面ファスナー
４    屋根部分用面ファスナー
５    着脱部
６    接続部
７    浮き輪中央
８    足入れ
９    空気口
１０    第１ロープ
１１    窓
１２    ハンドル
１３    第２ロープ
【図１】
2006256431.tif 000003
【図２】
2006256431.tif 000004
【図３】
2006256431.tif 000005
【図４】
2006256431.tif 000006
【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
浮き輪部分と、前記浮き輪部分に開閉自在に取り付けられる屋根部分とから構成され、前記浮き輪部分の前方上部に面ファスナーが設けられるとともに、前記屋根部分の前方下部に面ファスナーが設けられ、また前記浮き輪部分の後方部位と前記屋根部分の後方部位とが接続部を介して接続されており、前記屋根部分を閉じるときには、前記浮き輪部分の前記面ファスナーと前記屋根部分の前記面ファスナーとが着脱自在に装着され、また前記屋根部分を開放するときには、これら面ファスナーの装着状態が解除されることを特徴とする屋根付き浮き輪。
【請求項２】
前記浮き輪部分の後方部位には第１ロープが設けられ、前記屋根部分を開放するときには、前記浮き輪部分の前記面ファスナーと前記屋根部分の前記面ファスナーとの装着状態が解除され、前記屋根部分は空気を抜いて巻いた状態で前記第１ロープに止められることを特徴とする請求項１に記載の屋根付き浮き輪。
【請求項３】
浮き輪部分と、前記浮き輪部分に開閉自在に取り付けられる屋根部分とから構成され、前記浮き輪部分の前方上部に一方の面ファスナーが設けられるとともに、前記屋根部分の前方下部に一方の面ファスナーが設けられ、また前記浮き輪部分の後方部位に他方の面ファスナが設けられるとともに、前記屋根部分の後方下部に他方の面ファスナーが設けられており、  前記屋根部分を閉じるときには、前記浮き輪部分の一方及び他方の前記面ファスナーと前記屋根部分の一方及び他方の前記面ファスナーが着脱自在に装着され、また前記屋根部分を開放するときには前記浮き輪部分の一方及び他方の前記面ファスナーと前記屋根部分の一方及び他方の前記面ファスナーとの装着状態が解除されることを特徴とする屋根付き浮き輪。
【手続補正２】
【補正対象書類名】明細書
【補正対象項目名】全文
【補正方法】変更
【補正の内容】
【発明の詳細な説明】
【技術分野】
【０００１】
本発明は、より多くの日差しを防ぎながら乳幼児の乗降を容易にし、転倒しても乳幼児が水に埋没しにくくした屋根付き浮き輪に関するものである。
【背景技術】
【０００２】
従来、乳幼児用浮き輪は、浮き輪の一部を覆うサンシェードを備え、サンシェードは空気袋又は浮遊性部材から構成され、アーチ又は断面門型に形成され、側面に小窓が設けられていた（特許文献１参照）。この浮き輪では、浮き輪中央低位置にシートが張られ、足が入る穴が設けられ、単独で浮いていることができた。
【特許文献１】実用新案登録第３０５０８１０号公報
【発明の開示】
【発明が解決しようとする課題】
【０００３】
上述した従来の浮き輪では、サンシェードが設けられているが開放部分が多く、それ故に、日除け可能な面積は小さく、太陽の位置によっては日除け効果が期待できない。浮き輪は炎天下で使用されることが多く、肌の弱い乳児や帽子を嫌う幼児には日焼けによる火傷や、日射病が心配される。また、横転した時、すぐに乳幼児が水に埋没してしまうことも心配される。
【課題を解決するための手段】
【０００４】
本発明の請求項１に記載の屋根付き浮き輪は、浮き輪部分と、前記浮き輪部分に開閉自在に取り付けられる屋根部分とから構成され、前記浮き輪部分の前方上部に面ファスナーが設けられるとともに、前記屋根部分の前方下部に面ファスナーが設けられ、また前記浮き輪部分の後方部位と前記屋根部分の後方部位とが接続部を介して接続されており、前記屋根部分を閉じるときには、前記浮き輪部分の前記面ファスナーと前記屋根部分の前記面ファスナーとが着脱自在に装着され、また前記屋根部分を開放するときには、これら面ファスナーの装着状態が解除されることを特徴とする。
【０００５】
また、本発明の請求項２に記載の屋根付き浮き輪は、前記浮き輪部分の後方部位には第１ロープが設けられ、前記屋根部分を開放するときには、前記浮き輪部分の前記面ファスナーと前記屋根部分の前記面ファスナーとの装着状態が解除され、前記屋根部分は空気を抜いて巻いた状態で前記第１ロープに止められることを特徴とする。
【０００６】
また、本発明の請求項３に記載の屋根付き浮き輪は、浮き輪部分と、前記浮き輪部分に開閉自在に取り付けられる屋根部分とから構成され、前記浮き輪部分の前方上部に一方の面ファスナーが設けられるとともに、前記屋根部分の前方下部に一方の面ファスナーが設けられ、また前記浮き輪部分の後方部位に他方の面ファスナが設けられるとともに、前記屋根部分の後方下部に他方の面ファスナーが設けられており、前記屋根部分を閉じるときには、前記浮き輪部分の一方及び他方の前記面ファスナーと前記屋根部分の一方及び他方の前記面ファスナーが着脱自在に装着され、また前記屋根部分を開放するときには、前記浮き輪部分の一方及び他方の前記面ファスナーと前記屋根部分の一方及び他方の前記面ファスナーとの装着状態が解除されることを特徴とする。
【発明の効果】
【０００７】
本発明の請求項１に記載の屋根付き浮き輪によれば、空気袋からなる屋根部分を乳幼児に覆い被せるように設置できるために、より多くの強い日差しを防ぐことができる。また、面ファスナーによる着脱でもって屋根部分を開閉することができるために、開放部分が少なくても乗降を容易に行うことができる。また、転倒した場合においても、面ファスナーの着脱状態を解除することによって屋根部分を開放することができ、直ぐに救出することができる。更に、浮き輪部分と屋根部分とが接続部を介して接続されているので、屋根部分を紛失するということもない。
【０００８】
また、本発明の請求項２に記載の屋根付き浮き輪によれば、浮き輪部分の後方部位には第１ロープを設けているので、屋根部分を開放して収納するときには、この屋根部分の空気を抜いて巻き、このように巻いた状態で第１ロープにより止めることができ、屋根部分をコンパクトに収納することができる。
【０００９】
また、本発明の請求項３に記載の屋根付き浮き輪によれば、その基本的構成が請求項１に記載のものと略同様であるので、上述したと同様の効果を達成することができる。更に、浮き輪部分及び屋根部分の前方部位とそれらの後方部位とを面ファスナーにより着脱自在に装着したので、これら面ファスナーを外すことによって屋根部分を浮き輪部分から外すことができる。
【発明を実施するための最良の形態】
【００１０】
以下、図面を参照して、本発明の浮き輪の実施形態を説明する。図１は本発明の浮き輪の実施形態を示した全体図であり、図２は浮き輪の屋根部分を開放するときの状態を示す説明図であり、図３は浮き輪の屋根部分を開放するときの状態を示す説明図であり、図４は浮き輪を単独で使用するときの状態を示す全体図である。
図１〜図４において、１が浮き輪部分で、２が屋根部分である。浮き輪部分１と屋根部分２は塩化ビニルなどの合成樹脂製の空気袋から形成される。浮き輪部分１の前方上部の二箇所に面ファスナー３が取り付けられ、これらが浮き輪部分側の面ファスナー３となる。また、屋根部分２の前方下部の二箇所に面ファスナー４が設けられ、これらが屋根部分側の面ファスナー４となる。浮き輪部分側の面ファスナー３と屋根部分側の面ファスナー４とは、相互に合わせることによって、着脱自在に装着される。このように面ファスナー３，４により屋根部分２を閉じる部分が着脱部５となり、面ファスナー３，４の着脱によって屋根部分２を開閉することができる。
【００１１】
浮き輪部分１の後方部位と屋根部分２の後方部位とは、接続部６を介して接続されている。屋根部分２の後方部位が接続部５により接続されるので、面ファスナー３，４の着脱によって、屋根部分２を開閉することができる。浮き輪部分１と屋根部分２との接続部５は浮き輪と同じ素材かそれに類似する素材から形成される。この接続部５は、浮き輪部分１のみで使用できるように、浮き輪部分１と屋根部分２との空気を遮断する。この接続部６は、上述した着脱部５と同様に、面ファスナーで接続するようにしてもよい。このように構成した場合、浮き輪部分１と屋根部分２とは別付けとなり、屋根部分は面ファスナーでもって浮き輪部分１に着脱自在に取り付けられる。
【００１２】
乳幼児が乗り込む浮き輪部分１の中央７には、体が安定するようにやや下垂させてシートが設けられ、このシートの二箇所に足入れ８が設けられている。浮き輪部分１と屋根部分２のそれぞれの一箇所に空気口９が設けられ、浮き輪部分１を単独で用いることができる。浮き輪部分１を単独で用いるとき、屋根部分２に空気を入れずに巻き、このように巻いた状態で、浮き輪部分１の後方部位に取り付けられた第１ロープ１０で止め、この浮き輪部分１の中央７の後方部位に取り付ける（図４参照）。
【００１３】
浮き輪の前後左右には窓１１が設けられ、必要以上に風の抵抗を受けないように構成されている。閉鎖的な状態を乳幼児が受け入れられるように、ハンドル１２が取り付けられ、車をイメージしたものとなっている。このハンドル１２はなくてもよい。或いは、浮き輪全体に車の種類に応じたプリントや、サイレンなどの付属品を付けるようにしてもよい。また、浮き輪を持ちやすくするために、第２ロープ１３を設ける。
【００１４】
図２は屋根部分２の開閉状態を示している。屋根部分２は、接続部６を中心として乳幼児を被せるように、図２から図３に示すように動かし、浮き輪部分側の面ファスナー３と屋根部分側の面ファスナー４とが着脱部５で着脱自在に取り付けられ、このようにして屋根部分２が閉じられる。このように閉じた状態では、空気袋の屋根部分２は乳幼児に覆い被さるようになり、より多くの強い日差しを防ぐことができる。また、転倒しても乳幼児は空気袋に被われているため、水に埋没してしまうことがない。また、着脱部５で装着されている面ファスナー３，４を外すことによって、直ぐに救出することができる。
【００１５】
図４は浮き輪部分１を単独で使用したときの全体図である。浮き輪部分１を単独で使用するときは、屋根部分２に空気を入れずに巻き、浮き輪部分１の後方部位に取り付けた第１ロープ１０で止め、浮き輪部分１の中央７の後方部位に取り付けるようにする。
【図面の簡単な説明】
【００１６】
【図１】本発明の浮き輪の実施形態を示した全体図である。
【図２】浮き輪の屋根部分を開放するときの状態を示す説明図である。
【図３】浮き輪の屋根部分を開放するときの状態を示す説明図である。
【図４】浮き輪を単独で使用するときの状態を示す全体図である。
【符号の説明】
【００１７】
１    浮き輪部分
２    屋根部分
３    浮き輪部分側の面ファスナー
４    屋根部分側の面ファスナー
５    着脱部
６    接続部
７    浮き輪部分の中央
８    足入れ
９    空気口
１０  第１ロープ
１１  窓
１２  ハンドル
１３  第２ロープ